(57)【要約】      （修正有）【課題】コンテンツサービスを提供する方法及びサーバーを提供する。【解決手段】サービスサーバーがコンテンツサービスを提供する方法は、第１ユーザー端末からコンテンツのＵＲＬアドレス、上記コンテンツに対して予め設定された階層的分類情報及び一つ以上の登録キーワードを含むコンテンツ登録要請が受信されると、上記階層的分類情報に応じて上記登録キーワードとＵＲＬアドレスを既に存在するインデックスとマッチングさせて格納する段階Ｓ３０１及び第２ユーザー端末から検索キーワードを含むコンテンツ検索要請が受信されると、上記検索キーワードとマッチングされるインデックスを検索して第２ユーザー端末に提供する段階Ｓ３０５を含む。検索されたインデックスは、階層的形態として一つ以上の下位階層を含み、最下位階層のインデックスは、コンテンツにアクセスできるＵＲＬアドレスを含む。【選択図】図３
2016207214.tif 000002
【特許請求の範囲】
【請求項１】
サービスサーバーがコンテンツサービスを提供する方法であって、
（ａ）第１ユーザー端末からコンテンツのＵＲＬアドレス、上記コンテンツに対して予め設定された階層的分類情報及び一つ以上の登録キーワードを含むコンテンツ登録要請が受信されると、上記階層的分類情報に応じて上記登録キーワードとＵＲＬアドレスを既に存在するインデックスとマッチングさせて格納する段階、及び、
（ｂ）第２ユーザー端末から検索キーワードを含むコンテンツ検索要請が受信されると、上記検索キーワードとマッチングされるインデックスを検索して上記第２ユーザー端末に提供する段階、を含み、
上記検索されたインデックスは、階層的形態として一つ以上の下位階層を含み、最下位階層のインデックスは、コンテンツにアクセスできるＵＲＬアドレスを含むことを特徴とするコンテンツサービス提供方法。
【請求項２】
上記（ａ）段階は、
上記登録キーワード及び上記既に存在するインデックスに関連するキーワードの編集距離（ｅｄｉｔ  ｄｉｓｔａｎｃｅ）アルゴリズムに応じて上記マッチングを遂行することを特徴とする請求項１に記載のコンテンツサービス提供方法。
【請求項３】
上記（ａ）段階は、
上記コンテンツ登録要請に含まれたＵＲＬアドレスの重複の有無をチェックする段階、及び上記ＵＲＬアドレスの短縮ＵＲＬアドレスを生成する段階のうち一つ以上を含むことを特徴とする請求項１に記載のコンテンツサービス提供方法。
【請求項４】
コンテンツサービスを提供するサービスサーバーであって、
第１ユーザー端末からコンテンツのＵＲＬアドレス、上記コンテンツに対して予め設定された階層的分類情報及び一つ以上の登録キーワードを含むコンテンツ登録要請が受信されると、上記階層的分類情報に応じて上記登録キーワードとＵＲＬアドレスを既に存在するインデックスとマッチングさせて格納する共有コンテンツ登録部と、
第２ユーザー端末から検索キーワードを含むコンテンツ検索要請が受信されると、上記検索キーワードとマッチングされるインデックスを検索して上記第２ユーザー端末に提供する共有コンテンツ提供部と、を含み、
上記検索されたインデックスは、階層的形態として一つ以上の下位階層を含み、最下位階層のインデックスは、コンテンツにアクセスできるＵＲＬアドレスを含むことを特徴とするサービスサーバー。
【請求項５】
上記共有コンテンツ登録部は、
上記登録キーワード及び上記既に存在するインデックスに関連するキーワードの編集距離（ｅｄｉｔ  ｄｉｓｔａｎｃｅ）アルゴリズムを利用して、上記マッチングを遂行することを特徴とする請求項４に記載のサービスサーバー。
【請求項６】
ユーザー端末がコンテンツサービスを提供する方法であって、
（ａ）検索キーワードの入力を受ける段階、及び
（ｂ）上記入力された検索キーワードをサービスサーバーに転送し、上記サービスサーバーから上記検索キーワードとマッチングされる検索結果を受信して画面に表示する段階を含み、
上記検索結果は階層的形態のインデックスとして一つ以上の下位階層を含み、最下位階層のインデックスは、コンテンツにアクセスできるＵＲＬアドレスを含むことを特徴とするコンテンツサービス提供方法。
【請求項７】
（ｃ）上記検索結果のうち最下位階層のインデックスに含まれたＵＲＬアドレスが選択されると、上記選択されたＵＲＬアドレスのサーバーに接続し、上記サーバーからコンテンツを受信して画面に表示する段階、  を更に含むことを特徴とする請求項６に記載のコンテンツサービス提供方法。
【請求項８】
請求項６又は請求項７の何れかの一項による方法を遂行するための一連の命令を含む媒体に格納されたコンピュータプログラム。
【発明の詳細な説明】
【技術分野】
【０００１】
本発明は、コンテンツサービスを提供する方法及びサーバーに関するものであって、より詳細には個人が作成したコンテンツを定型化されたコンテンツサービスとして提供する技術に関するものである。
【背景技術】
【０００２】
最近、ウィキペディア（Ｗｉｋｉｐｅｄｉａ）又はピンターレスト（Ｐｉｎｔｅｒｅｓｔ）等のように不特定多数のユーザーが自発的に情報を共有するサービスが大人気を博している。
【０００３】
これは不特定多数のユーザーが作成者又は編集者になって、特定の単語（キーワード）に対する内容の説明を完成していき、及び／又は、例えば、様々な画像のうち自分が希望する画像だけを集めることができるシステムである。
【０００４】
しかし、このような自発的な情報共有サービスは、作成者又は編集者が他人のコンテンツから内容を単純コピー（ｃｏｐｙ）してきた場合にも制裁を加える手段がないので、原コンテンツに対する著作権の保護が困難な上に、ユーザーの間で共通のインデックスを共有できないという問題がある。
【発明の概要】
【発明が解決しようとする課題】
【０００５】
本発明は、前述した従来技術の問題点を解決するためのものであって、特定のキーワードに関連するコンテンツを提供する際に、原コンテンツに対する著作権を保護しながら、該当キーワードに関連するコンテンツをインデックス形式で提供しようとする。
【課題を解決するための手段】
【０００６】
上記のような目的を達成するために、本発明の一実施例によるサービスサーバーがコンテンツサービスを提供する方法は、（ａ）第１ユーザー端末からコンテンツのＵＲＬアドレス、上記コンテンツに対して予め設定された階層的分類情報、及び一つ以上の登録キーワードを含むコンテンツ登録要請が受信されると、上記階層的分類情報に応じて上記登録キーワードとＵＲＬアドレスを既に存在するインデックスとマッチングさせて格納する段階、及び（ｂ）第２ユーザー端末から検索キーワードを含むコンテンツ検索要請が受信されると、上記検索キーワードとマッチングするインデックスを検索して上記第２ユーザー端末に提供する段階を含み、上記検索されたインデックスは階層的形態として一つ以上の下位階層を含み、最下位階層のインデックスはコンテンツにアクセスできるＵＲＬアドレスを含むことを特徴とする。
【０００７】
上記のような目的を達成するために、本発明の一実施例によるコンテンツサービスを提供するサービスサーバーは、第１ユーザー端末からコンテンツのＵＲＬアドレス、上記コンテンツに対して予め設定された階層的分類情報、及び一つ以上の登録キーワードを含むコンテンツ登録要請が受信されると、上記階層的分類情報に応じて上記登録キーワードとＵＲＬアドレスを既に存在するインデックスとマッチングさせて格納する共有コンテンツ登録部、第２ユーザー端末から検索キーワードを含むコンテンツ検索要請が受信されると、上記検索キーワードとマッチングするインデックスを検索して上記第２ユーザー端末に提供する共有コンテンツ提供部を含み、上記検索されたインデックスは階層的形態として一つ以上の下位階層を含み、最下位階層のインデックスはコンテンツにアクセスできるＵＲＬアドレスを含むことを特徴とする。
【０００８】
上記のような目的を達成するために、本発明の一実施例によるユーザー端末がコンテンツサービスを提供する方法は、（ａ）検索キーワードの入力を受ける段階、及び（ｂ）上記入力された検索キーワードをサービスサーバーに転送し、上記サービスサーバーから上記検索キーワードとマッチングする検索結果を受信して画面に表示する段階を含み、上記検索結果は階層的形態のインデックスとして一つ以上の下位階層を含み、最下位階層のインデックスはコンテンツにアクセスできるＵＲＬアドレスを含むことを特徴とする。
【発明の効果】
【０００９】
本発明の一実施例によると、特定のキーワードに関連するコンテンツを提供する際に原コンテンツをインデックス形式で提供するので、該当キーワードに関連するコンテンツを一目瞭然に確認できる。
【００１０】
また、原コンテンツのリンクアドレスに沿ってのみアクセスが可能であるので、原コンテンツに対する編集が不可能であって、著作権の保護が容易である。
本発明の効果は、上記した効果に限定されるものではなく、本発明の詳細な説明又は特許請求の範囲に記載された発明の構成から推論可能な全ての効果を含むものと理解されるべきである。
【図面の簡単な説明】
【００１１】
【図１】は、本発明の一実施例によるコンテンツサービス提供システムの構成を示した図面である。
【図２】は、本発明の一実施例によるサービスサーバーの構成を示した図面である。
【図３】は、本発明の一実施例によるコンテンツサービス提供過程を示したフローチャートである。
【図４】は、本発明の一実施例によるコンテンツサービス利用過程の内、共有コンテンツの登録を示した図面である。
【図５】は、本発明の一実施例によるコンテンツサービス利用過程の内、共有コンテンツへのアクセスを示した図面である。
【発明を実施するための形態】
【００１２】
以下では、添付した図面を参照して本発明を説明する。しかし、本発明は、様々な異なる形態で具現可能であり、従って、ここで説明する実施例に限定されない。
【００１３】
そして、図面において本発明を明確に説明するために、説明と関係ない部分は省略し、明細書全体を通じて同様の部分には同様の参照符号を付した。
【００１４】
明細書全体において、ある部分が他の部分と「連結」されているとすると、これは「直接的に連結」されている場合だけでなく、その間に他の部材を介在して「間接的に連結」されている場合も含む。
【００１５】
また、ある部分がある構成要素を「含む」とすると、これは特に反対の記載がない限り、他の構成要素を除外することではなく、他の構成要素をさらに備えることができるということを意味する。
【００１６】
以下、添付された図面を参照して本発明の実施例を詳しく説明する。
図１は、本発明の一実施例によるコンテンツサービス提供システムの構成を示した図面である。
【００１７】
本発明の一実施例によるコンテンツサービス提供システム（１００）は、ユーザー端末（１１０）、サービスサーバー（１２０）及び運営者端末（１３０）を含む。
【００１８】
本発明の一実施例によるコンテンツサービスを簡単に説明すると、ユーザー端末（１１０）は特定のＷｅｂページを通じて提供されるコンテンツ（以下、「共有コンテンツ」と称する）をサービスサーバー（１２０）に登録する。
【００１９】
このため、ユーザー端末（１１０）は、共有コンテンツが含まれたＷｅｂページのＵＲＬアドレス、共有コンテンツの階層的分類情報（例えば、大・中・小分類）、共有コンテンツに関連する一つ以上のキーワード（以下、「登録キーワード」と称する）を入力し、上記入力された情報をサービスサーバー（１２０）に転送して共有コンテンツ登録を要請する第１ユーザーインターフェイスを画面に表示できる。
【００２０】
ここでＵＲＬアドレスは、プラグイン方式で第１ユーザーインターフェイスに自動入力されるか、又は、ユーザーによって入力される。
【００２１】
また、ユーザー端末（１１０）は、共有コンテンツを要請するために共有コンテンツに関連するキーワード（以下、「検索キーワード」と称する）を入力し、入力された検索キーワードをサービスサーバー（１２０）に転送して共有コンテンツを要請する第２ユーザーインターフェイスを画面に表示できる。
【００２２】
ここで、「共有コンテンツを要請」というのは、ユーザー自身が既に登録した共有コンテンツだけでなく、他のユーザーが既に登録した共有コンテンツの提供を要請できるという意味である。
【００２３】
以後、ユーザー端末（１１０）は、サービスサーバー（１２０）から上記検索キーワードとマッチングする検索結果を受信して画面に表示する。
【００２４】
ここで、検索キーワードとマッチングする検索結果はインデックス形態で提供され、特定のカテゴリ選択時に一つ以上の下位カテゴリが表示されるか、又は、共有コンテンツを提供するＵＲＬアドレスが表示される。
【００２５】
ユーザー端末（１１０）は、スマートフォン、携帯電話、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットコンピュータ等を含む移動通信端末と、ラップトップコンピュータ、デスクトップコンピュータ、セットトップボックスと連結されたＴＶ等、ネットワークを通じてサービスサーバー（１２０）と連結可能な全ての端末を含む。
【００２６】
一方、サービスサーバー（１２０）は、ユーザー端末（１１０）の要請に応じてユーザー端末（１１０）にアプリケーションのインストールファイルを転送し、アプリケーションがインストールされたユーザー端末（１１０）から共有コンテンツ登録要請を受信する。
【００２７】
ここで、共有コンテンツ登録要請は共有コンテンツが含まれたＷｅｂページのＵＲＬアドレス、共有コンテンツの階層的分類情報（例えば、大・中・小分類）及び一つ以上の登録キーワードを含む。
【００２８】
共有コンテンツ登録要請が受信されると、サービスサーバー（１２０）は、ＵＲＬアドレスの重複検査、短縮ＵＲＬアドレス生成及び登録キーワードを利用した資料分類過程を遂行する。
【００２９】
ここで、登録キーワードを利用した資料分類は、事前に生成されたインデックスに対する編集距離（ｅｄｉｔ  ｄｉｓｔａｎｃｅ）アルゴリズムに基づいて遂行され、事前に生成されたインデックスはインデックスを代表するキーワードを注釈として一緒に格納される。
【００３０】
以後、ユーザー端末（１１０）から共有コンテンツ提供要請が受信されると、サービスサーバー（１２０）は、共有コンテンツ提供要請に含まれた検索キーワードとマッチングするインデックス形態の検索結果をユーザー端末（１１０）に提供する。
【００３１】
一方、運営者端末（１３０）は、インデックス、階層的（例えば、大・中・小）分類情報、及び該当インデックスに関連する一つ以上のキーワードを含むインデックス生成要請をサービスサーバー（１２０）に転送してカテゴリ別に多様なインデックスを生成する。
【００３２】
また、運営者端末（１３０）は、未分類の登録キーワードに対する分類及び関連インデックスの生成をサービスサーバー（１２０）に要請する。
【００３３】
運営者端末（１３０）は、スマートフォン、携帯電話、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットコンピュータ等を含む移動通信端末と、ラップトップコンピュータ、デスクトップコンピュータ、セットトップボックスと連結されたＴＶ等、ネットワークを通じてサービスサーバー（１２０）と連結可能な全ての端末を含む。
【００３４】
図２は、本発明の一実施例によるサービスサーバーの構成を示した図面である。
本発明の一実施例によるサービスサーバー（１２０）は、共有コンテンツ登録部（１２１）、入力ＤＢ（データベース）（１２２）、登録ＤＢ（１２３）及び共有コンテンツ提供部（１２４）を含む。
【００３５】
各構成要素を説明すると、共有コンテンツ登録部（１２１）は、ユーザー端末（１１０）から共有コンテンツ登録要請が受信されると、共有コンテンツが含まれたＷｅｂページのＵＲＬアドレス、共有コンテンツの階層的分類情報（例えば、大・中・小分類）及び一つ以上の登録キーワードを入力ＤＢ（１２２）に格納する。
【００３６】
また、共有コンテンツ登録部（１２１）は、入力ＤＢ（１２２）に格納された上記の情報に対する分析と加工後、その結果を登録ＤＢ（１２３）に格納することにより、ユーザーが要請した共有コンテンツを登録する。
【００３７】
ここで、上記「分析と加工」は、ＵＲＬアドレスの重複検査、該当ＵＲＬアドレスの短縮ＵＲＬ生成及び登録キーワードを利用した資料分析のうち一つ以上を含み、共有コンテンツ登録部（１２１）は事前に生成されたインデックスに対する編集距離（ｅｄｉｔ  ｄｉｓｔａｎｃｅ）アルゴリズムに基づいて登録キーワードを分類する。
【００３８】
参考までに、上記「インデックス」は、運営者端末（１３０）の要請に応じてカテゴリ別に、又は階層的（例えば、大・中・小）に分類されて生成され、インデックスに関連するキーワードが注釈として一緒に格納される。
【００３９】
従って、上記インデックスに対する編集距離はインデックスの生成時に注釈として一緒に格納された関連キーワードとコンテンツ登録要請に含まれた登録キーワードとの編集距離を意味する。
【００４０】
一方、入力ＤＢ（１２２）は、ユーザー端末（１１０）から受信された共有コンテンツが含まれたＷｅｂページのＵＲＬアドレス、共有コンテンツの階層的分類情報（例えば、大・中・小分類）及び一つ以上の登録キーワードを格納する。
【００４１】
一方、登録ＤＢ（１２３）は、共有コンテンツ登録部（１２１）によって入力ＤＢ（１２２）に格納された情報が分析と加工後に格納された結果として、入力ＤＢ（１２２）に格納されたＵＲＬアドレスの短縮ＵＲＬアドレス、一つ以上の登録キーワード及び該当登録キーワードとマッチングするインデックス情報のうち一つ以上を含む。
【００４２】
一方、共有コンテンツ提供部（１２４）は、ユーザー端末（１１０）から共有コンテンツ提供要請が受信されると、サービスサーバー（１２０）は、共有コンテンツ提供要請に含まれた検索キーワードとマッチングするインデックス形態の検索結果を登録ＤＢ（１２３）から検索してユーザー端末（１１０）に提供する。
【００４３】
検索キーワードとマッチングするインデックス形態の検索結果については図５を参照して後述する。
【００４４】
図３は、本発明の一実施例によるコンテンツサービス提供過程を示したフローチャートである。
図３に示された過程は、図２に示されたサービスサーバー（１２０）によって遂行されるので、以下、サービスサーバー（１２０）を主体として図３の過程を説明する。
【００４５】
まず、サービスサーバー（１２０）は、運営者端末（１３０）からインデックス、階層的（例えば、大・中・小）分類情報及び該当インデックスに関連するキーワードを受信し、カテゴリ別に多様なインデックスを生成する（Ｓ３０１）。
【００４６】
Ｓ３０１の後、サービスサーバー（１２０）は、ユーザー端末（１１０）から共有コンテンツ登録要請を受信すると、共有コンテンツ登録要請に含まれたＷｅｂページのＵＲＬアドレス、共有コンテンツの階層的分類情報（例えば、大・中・小分類）、及び一つ以上の登録キーワードを入力ＤＢ（１２２）に格納する（Ｓ３０２）。
【００４７】
Ｓ３０２の後、サービスサーバー（１２０）は、入力ＤＢ（１２２）に格納された情報に対する分析と加工後、その結果を登録ＤＢ（１２３）に格納してユーザーが要請した共有コンテンツを登録する（Ｓ３０３）。
【００４８】
この時、サービスサーバー（１２０）は、ＵＲＬアドレスの重複検査、該当ＵＲＬアドレスの短縮ＵＲＬ生成及び登録キーワードを利用した資料分析を遂行する。
【００４９】
Ｓ３０３の後、サービスサーバー（１２０）は、ユーザー端末（１１０）から共有コンテンツの提供要請を受信すると、コンテンツ提供要請に含まれた検索キーワードとマッチングするインデックスを登録ＤＢ（１２３）から検索する（Ｓ３０４）。
【００５０】
Ｓ３０４の後、サービスサーバー（１２０）は、検索されたインデックス（インデックス形態の結果）をユーザー端末（１１０）に提供する（Ｓ３０５）。
【００５１】
ここでユーザー端末（１１０）に提供されているインデックス（インデックス形態の結果）はＵＲＬアドレスを含み、ユーザー端末（１１０）は該当ＵＲＬアドレスを利用してコンテンツにアクセスする。
【００５２】
図４は、本発明の一実施例によるコンテンツサービス利用過程の内、他人と共有したいコンテンツを登録する方法を示した図面である。
図４の（ａ）は、ユーザー端末（１１０）にアプリケーションがインストールされた後、ブラウザを実行させた画面である。
【００５３】
図４の（ａ）に示されたように、ブラウザの上段に本発明のコンテンツサービスが利用できるアイコン（４１０）が表示される。
【００５４】
図４の（ｂ）は、ユーザー端末（１１０）を利用した資料検索中に現在の画面に表示されたＷｅｂページの内容を共有コンテンツとして他人と共有しようとする場合の画面である。
【００５５】
図４の（ａ）に示したブラウザの上段のアイコン（４１０）の１つを選択し、該当画面で「入力」タブを選択すると、図４の（ｂ）のように現在の画面に表示されたＷｅｂページのＵＲＬアドレスがＵＲＬアドレス入力ウィンドウ（４２０）に自動的に入力される。もちろん、ユーザーが直接入力することもできる。
【００５６】
そして、該当コンテンツの階層的分類情報である大・中・小分類（４３０）を選択し、該当コンテンツに関連するキーワード（４４０）を入力した後、転送ボタン（４５０）をクリックしてサービスサーバー（１２０）に共有コンテンツ登録要請を転送する。
【００５７】
図５は、本発明の一実施例によるコンテンツサービス利用過程の内、共有したいコンテンツへのアクセスを示した図面である。
即ち、図５は、ユーザー端末（１１０）を利用して共有コンテンツを検索し、希望するコンテンツを提供してもらう場合の画面である。
【００５８】
図４の（ａ）に示されたブラウザの上段のアイコン（４１０）の１つを選択し、該当画面で「検索」タブ（５１０）を選択すると、図５の（ａ）に示されたように検索キーワードを入力できるウィンドウが画面に表示される。
【００５９】
図５の（ａ）では検索キーワードとして例えば「データベース」を入力し、その結果は、図５の（ｂ）に  示された通りである。
【００６０】
即ち、「データベース」に関連するキーワードとして複数の上位インデックス（５２０）がユーザー端末の画面に検索結果として表示され、複数の上位インデックス（５２０）のうち一つを選択する際に該当上位インデックスに対応する複数の中位インデックス（５３０）が画面に表示される。
【００６１】
複数の中位インデックス（５３０）の内の選択された中位インデックスに対応して、該当中位インデックスに関連して登録された複数の共有コンテンツ、即ち、共有コンテンツにアクセスできるＵＲＬアドレスが複数の下位インデックス（５４０）として表示され、各ＵＲＬアドレスを通じて該当共有コンテンツにアクセスできる。
【００６２】
前述した本発明の説明は例示のためのものであり、本発明の属する技術分野における通常の知識を有する者ならば、本発明の技術的思想や必須特徴を変更せず他の具体的な形態に容易に変形可能であることが理解できるであろう。
【００６３】
従って、以上で前述した実施例は、全ての面で例示的なものであって、限定的ではないものと理解されなければならない。
【００６４】
例えば、単一型に説明されている各構成要素は分散して実施してもよく、同様に分散して説明されている構成要素も結合された形態で実施してもよい。
【００６５】
本発明の範囲は、後述する特許請求の範囲によって示され、特許請求の範囲の意味及び範囲、そしてその均等概念から導出される全ての変更又は変形された形態が本発明の範囲に属するものと解釈しなければならない。
【符号の説明】
【００６６】
１００      コンテンツサービス提供システム
１１０      ユーザー端末
１２０      サービスサーバー
１２１      共有コンテンツ登録部
１２２      入力ＤＢ
１２３      登録ＤＢ
１２４      共有コンテンツ提供部
１３０      運営者端末
４１０      アイコン
４２０      ＵＲＬアドレス入力ウィンドウ
４３０      （コンテンツの）大・中・小分類
４５０      転送ボタン
５１０      検索タブ
５２０      複数の上位インデックス
５３０      複数の中位インデックス
５４０      複数の下位インデックス（ＵＲＬアドレス）
【図１】
2016207214.tif 000003
【図２】
2016207214.tif 000004
【図３】
2016207214.tif 000005
【図４】
2016207214.tif 000006
【図５】
2016207214.tif 000007